(57)【特許請求の範囲】
【請求項１】
スキー板の表面に取り付ける取付板と、
前記取付板における幅方向の一方の端から、当該取付板の裏面側に延びているとともに当該取付板の前後方向に延びている板状の横滑り防止刃と、
前記取付板における前記幅方向の他方の端から、当該取付板の前記裏面側に延びているとともに当該取付板の前記前後方向に延びている板状の第２の横滑り防止刃と、
前記横滑り防止刃の内側表面から、当該横滑り防止刃と交差する方向に延びている板状の後滑り防止刃と、
前記取付板の前記裏面、および、当該裏面に対峙している前記後滑り防止刃の上端面との間に形成されたスキー板挿入用の隙間と、
前記第２の横滑り防止刃の内側表面、および、当該内側表面に対峙している前記後滑り防止刃の側方端面の間に形成されたスキー板挿入ガイド用の隙間とを有し、
前記スキー板挿入ガイド用の隙間は、前記スキー板挿入用の隙間に繋がっていることを特徴とするスキーアイゼン。
【請求項２】
請求項１に記載のスキーアイゼンにおいて、
前記後滑り防止刃の前記側方端面は、前記取付板に接近するのに伴って前記第２の横滑り防止刃の前記内側表面から遠ざかる輪郭形状をしていることを特徴とするスキーアイゼン。
【請求項３】
請求項１または２に記載のスキーアイゼンにおいて、
前記後滑り防止刃は、前記取付板の前記前後方向において間隔を開けて複数枚配置されていることを特徴とするスキーアイゼン。
【請求項４】
請求項１ないし３のうちのいずれかの項に記載のスキーアイゼンと、
前記スキーアイゼンの前記取付板をスキー板の表面に取り付けるための取付板固定具と、
前記取付板固定具をスキー板の表面に締結固定する締結ボルトとを有し、
前記取付板には、前記取付板固定具と着脱可能に係合する係合部が形成されていることを特徴とするスキーアイゼンセット。
【発明の詳細な説明】
【技術分野】
【０００１】
本発明は、スキー板に取り付けられて使用されるスキーアイゼンに関する。より詳細には、雪山の登高時などにスキー板の横滑りと後方へのスリップの双方を低減できるスキーアイゼンに関する。
【背景技術】
【０００２】
山スキーやテレマークスキーでは、雪山をスキーで登高する際に、スキー板に滑り止め用のアタッチメントを装着する。滑り止め用のアタッチメントとしては、特許文献１に記載のスキーシールや、特許文献２に記載のスキーアイゼンが知られている。スキーシールは、上面がスキー板への貼り付け面となっており、下面が後側に向かって延びる毛で覆われている。スキーシールがスキー板のソールに貼り付けられると、スキー板はスキーシールの毛並みを逆立てる後方に滑りづらくなるので、スキーヤーがスキー板に体重を載せたときにスキー板の後方へのスリップが低減され、登高が楽になる。スキーアイゼンは、平行に配列された板状の２枚の横滑り防止刃と、これら２枚の横滑り防止刃の間に架け渡された取付板を備えており、この取付板がスキー板の表面部分に載置され、２枚の横滑り防止刃がスキー板の左右のエッジの両側から下方に突出するようにして、スキー板に取り付けられる。スキーアイゼンがスキー板に取り付けられると、スキーヤーがスキー板に体重を載せたときに２枚の横滑り防止刃がスキー板の左右のエッジの両側で雪面に食い込むので、スキー板の横滑りが低減され、登高や斜行が楽になる。
【０００３】
また、特許文献３には、滑り止め用のアタッチメントとして、スキー板のソールの下側に滑り止め刃を突出させる滑り止め具が記載されている。この滑り止め具は、スキー板の上側に配置される上側部材と、スキー板の下側に配置されるとともに、板状の後滑り防止刃を備える下側部材とを有している。また、滑り止め具は、上側部材と下側部材とがスキー板を上下から挟んだ状態で締結されることにより、スキー板に取り付けられる。滑り止め具が取り付けられると、後滑り防止刃はスキー板のソールの下側で滑走方向と直交する方向に延びるように配置されるので、スキーヤーがスキー板に体重を載せたときに滑り止め刃が雪に食い込み、スキー板の後方へのスリップが低減される。従って、登高が楽になる。
【先行技術文献】
【特許文献】
【０００４】
【特許文献１】実用新案登録第３１１２０８６号公報
【特許文献２】実開平３−７３１８０号公報
【特許文献３】実用新案登録第３００２８３９号公報
【発明の概要】
【発明が解決しようとする課題】
【０００５】
雪山を登高する際には、スキーヤーはスキー板にスキーシールを貼りつけて登り出す。登りのスピードアップのためには、スキーヤーはハザードが無い限り山頂へ向かって直線的に目指すルートを選びたい。然るに、山肌の斜度が急になるとスキーシールのグリップ力だけでは直線的に登ることが困難になるので、スキーヤーはジグザグの斜行を強いられる。急斜面の斜行では、スキーヤーはスキー板の横滑りを防止するためにスキーシールとスキーアイゼンとを併用する。ここで、斜行は雪崩を誘発する危険性も高く、登高スピードも落ちてしまうので、スキーヤーはいち早く山頂を直線的に目指すルートへ復帰したい。しかし、スキーシールと従来のスキーアイゼンとを併用してもスキー板の後方へのスリップは解消されないので、所望のルートに復帰できないという問題があった。
【０００６】
また、残雪期の雪山では雪面がクラストすることが多い。このような状況下では、雪面とスキーシールの間の摩擦抵抗が著しく低下するので、スキーシールによるグリップ力が弱くなる。このような場合にも、スキーヤーはスキーシールとスキーアイゼンとを併用するが、スキーシールと従来のスキーアイゼンとを併用しても、スキー板の後方へのスリップは解消されないので、スキーヤーは思うように前進できず、体力を消耗してしまうという問題があった。
【０００７】
ここで、斜行を行う場合や、雪面がクラストしている状況下では、後方への滑り防止刃を備えた上記の滑り止め具と横滑り防止刃を備えた従来のスキーアイゼンとを併用することが考えられる。しかし、雪深い山中で、一対のスキー板のそれぞれに複数のアタッチメントを取り付ける作業は大変であり、手間がかかる。また、登高に際してスキーシールの他に複数のアタッチメントを運搬しなければならないとすれば、荷物が嵩張って重くなり、不便である。
【０００８】
本発明の課題は、このような点に鑑みて、雪山の登高時などに、スキー板の横滑りや後方へのスリップを低減できるスキーアイゼンおよびスキーアイゼンセットを提案することにある。
【課題を解決するための手段】
【０００９】
上記の課題を解決するために、本発明のスキーアイゼンは、
スキー板の表面に取り付ける取付板と、
前記取付板における幅方向の一方の端から、当該取付板の裏面側に延びているとともに当該取付板の前後方向に延びている板状の横滑り防止刃と、
前記取付板における前記幅方向の他方の端から、当該取付板の前記裏面側に延びているとともに当該取付板の前記前後方向に延びている板状の第２の横滑り防止刃と、
前記横滑り防止刃の内側表面から、当該横滑り防止刃と交差する方向に延びている板状の後滑り防止刃と、
前記取付板の前記裏面、および、当該裏面に対峙している前記後滑り防止刃の上端面との間に形成されたスキー板挿入用の隙間と、
前記第２の横滑り防止刃の内側表面、および、当該内側表面に対峙している前記後滑り防止刃の側方端面の間に形成されたスキー板挿入ガイド用の隙間とを有し、
前記スキー板挿入ガイド用の隙間は、前記スキー板挿入用の隙間に繋がっていることを特徴とする。
【００１０】
スキー板挿入用の隙間にスキー板を挿入することにより本発明のスキーアイゼンをスキー板に装着すると、横滑り防止刃はスキー板の幅方向の一方のエッジの側方から下方に突出して前後方向に延びるように配置され、後滑り防止刃は、スキー板のソールの下方において横滑り防止刃と交差するように配置される。従って、スキーヤーがスキー板に体重を載せると、互いに交差する横滑り防止刃および後滑り防止刃が雪面に食い込むようになる。この結果、スキー板の横滑りと後方へのスリップを同時に低減することができる。また、１つのスキーアイゼンで横滑りと後方へのスリップを低減できるので、スキー板に複数のアタッチメントを装着する必要がなく、山中でスキー板にアタッチメントを装着する作業が容易になる。また、雪山の登高に際して、荷物を減らすことができる。
【００１１】
また、本発明によれば、スキーアイゼンをスキー板に装着したときに、第２の横滑り防止刃が、スキー板の幅方向の一方のエッジの側方から下方に突出して前後方向に延びるように配置される。この結果、２枚の横滑り防止刃によってスキー板の横滑りが防止されるので、スキーアイゼンによる横滑り防止の効果が向上する。また、スキーヤーがスキー板に体重を載せると、スキー板と２枚の横滑り防止刃で囲まれたスキーアイゼンの内側には雪の粒子同士が強く結合した圧密層が形成され、後滑り防止刃がこの圧密層の中に食い込んだ状態となる。この結果、後滑り防止刃が後側に移動してしまうことが低減されるので、スキーヤーは雪面を確実にグリップできる。さらに、スキーアイゼンをスキー板に装着する際には、スキー板をスキー板挿入ガイド用の隙間からスキー板挿入用の隙間へ挿入することができるので、スキーアイゼンの装着が容易である。
【００１２】
本発明において、前記後滑り防止刃の前記側方端面は、前記取付板に接近するのに伴って前記第２の横滑り防止刃の前記内側表面から遠ざかる輪郭形状をしていることが望ましい。このようにすれば、スキー板をスキー板挿入用の隙間へ挿入しやすくなる。また、スキー板挿入ガイド用の隙間が狭くてもスキー板をスキー板挿入用の隙間へ挿入できるようになるので、後滑り防止刃を長く延ばすことができる。従って、スキーアイゼンの後方へのスリップ防止効果を向上させることができる。
【００１４】
本発明において、後方へのスリップ防止効果を向上させるためには、前記後滑り防止刃は、前記取付板の前記前後方向において間隔を開けて複数枚配置されていることが望ましい。
【００１５】
次に、本発明は、スキーアイゼンセットであって、上記のスキーアイゼンと、前記スキーアイゼンの前記取付板をスキー板の表面に取り付けるための取付板固定具と、前記取付板固定具をスキー板の表面に締結固定する締結ボルトとを有し、前記取付板には、前記取付板固定具と着脱可能に係合する係合部が形成されていることを特徴とする。このようにすれば、スキー板へスキーアイゼンを着脱可能に装着することが容易になる。
【発明の効果】
【００１６】
本発明のスキーアイゼンをスキー板に装着すれば、横滑り防止刃はスキー板の幅方向の一方のエッジの側方から下方に突出して前後方向に延びるように配置され、後滑り防止刃は、スキー板のソールの下方において横滑り防止刃と交差するように配置される。従って、スキーヤーがスキー板に体重を載せると、互いに交差する横滑り防止刃および後滑り防止刃が雪面に食い込むようになる。この結果、スキー板の横滑りと後方へのスリップを同時に低減することができる。また、１つのスキーアイゼンで横滑りと後方へのスリップを低減できるので、スキー板に複数のアタッチメントを装着する必要がなく、山中でスキー板にアタッチメントを装着する作業が容易になる。また、雪山の登高に際して、荷物を減らすことができる。
【図面の簡単な説明】
【００１７】
【図１】（ａ）は本発明を適用したスキーアイゼンの斜視図であり、（ｂ）はスキーアイゼンをスキー板に取り付けるための取付板固定具の斜視図である。
【図２】（ａ）はスキーアイゼンの側面図であり、（ｂ）はその正面図である。
【図３】（ａ）はスキー板に取り付けたスキーアイゼンをスキー板の表面側から見た斜視図であり、（ｂ）はスキー板に取り付けたスキーアイゼンをスキー板のソール側から見た斜視図である。
【図４】参考例のスキーアイゼンを示す斜視図である。
【図５】（ａ）は図４に示すスキーアイゼンの側面図であり、（ｂ）はその正面図である。
【発明を実施するための形態】
【００１８】
以下に、図面を参照して、本発明を適用したスキーアイゼンセットの実施の形態を説明する。
【００１９】
（全体構成）
図１（ａ）は本発明を適用したスキーアイゼンの斜視図であり、図１（ｂ）はスキーアイゼンをスキー板に取り付けるための取付板固定具の斜視図である。図２（ａ）はスキーアイゼンの側面図であり、図２（ｂ）はその正面図である。
【００２０】
図１に示すように、スキーアイゼンセット１は、スキーアイゼン２と、スキー板にスキーアイゼン２を取り付けるための固定具３を備えている。スキーアイゼン２は、図１（ａ）に示すように、矩形の取付板４と、この取付板４の幅方向の一方の端から取付板４の裏面４ａ側に延びている板状の第１横滑り防止刃（横滑り防止刃）５と、幅方向の他方の端から取付板４の裏面４ａ側に延びている板状の第２横滑り防止刃（第２の横滑り防止刃）６と、第１横滑り防止刃５の内側表面５ａに取り付けられた板状の後滑り防止刃７を備えている。
【００２１】
取付板４は、前端から後端に向かって、矩形の切り欠き部８と、上方に突出する湾曲部９と、半円形の切り欠き部１０を備えている。矩形の切り欠き部８と半円形の切り欠き部１０は、それぞれ取付板４の幅方向の中央部分に形成されている。矩形の切り欠き部８と湾曲部９との間にはコの字形状の板ばね１１の一対の開放端部１１ａが取り付けられている。板ばね１１は、一対の開放端部１１ａから後方に延びている一対のアーム部１１ｂと、これら一対のアーム部１１ｂの後端部分を連結している連結部１１ｃを備えている。湾曲部９よりも後側部分は取付板４に向かって押し付けられており、連結部１１ｃは半円形の切り欠き部１０の後端を封鎖している。ここで、切り欠き部１０の円弧形状の開口縁部分１０ａと、板ばね１１の連結部１１ｃとにより、スキーアイゼン２をスキー板に装着するための係合部１２が構成されている。
【００２２】
第１横滑り防止刃５は、図２（ａ）に示すように、前後方向に延びている略長方形の横滑り防止刃本体１３と、横滑り防止刃本体１３の上側部分から前側に突出している突出部１４を備えている。横滑り防止刃本体１３の前端縁１３ａは下端が後方に向かうように傾斜している。前端縁１３ａの後側にはネジ止め用貫通孔１５、１６が上下に形成されている。横滑り防止刃本体１３の下端部分には前後方向に離間した位置にＵ字形状の２つの切り欠き部１７、１８が形成されている。前端縁１３ａと前側の切り欠き部１７との間、２つの切り欠き部１７、１８の間、および、後側の切り欠き部１８と刃本体の後端縁１３ｂとの間は、それぞれ、下端に向かって尖る刃部１３ｃ、１３ｄ、１３ｅとなっている。
【００２３】
第２横滑り防止刃６は第１横滑り防止刃５と同一形状をしており、図２（ａ）に示すように、取付板４の幅方向から見ると、第１横滑り防止刃５と第２横滑り防止刃６は重なっている。また、図２（ｂ）に示すように、前から見ると、第１横滑り防止刃５と第２横滑り防止刃６の間隔は、下端側が僅かに広がっている。
【００２４】
後滑り防止刃７は、第１横滑り防止刃５と直交する方向に延びている後滑り防止刃本体２０と、この後滑り防止刃本体２０の第１横滑り防止刃５側の端から後方に直角に折れ曲がっている矩形の取り付け板２１を備えている。取り付け板２１にはネジ止め用貫通孔２２、２３が上下に形成されている。後滑り防止刃７は、第１横滑り防止刃５の外側から第１横滑り防止刃５のネジ止め用貫通孔２２、２３および後滑り防止刃７のネジ止め用貫通孔２２、２３を貫通して延びる２本のネジ２４、２５により、第１横滑り防止刃５の内側表面５ａに取り付けられている。後滑り防止刃本体２０の第２横滑り防止刃６の側方端面２６は、取付板４に接近するのに伴って第２横滑り防止刃６の内側表面６ａから遠ざかる輪郭形状をしている。後滑り防止刃本体２０の下端は、下端に向かって尖る刃部２０ａが形成されている。また、後滑り防止刃本体２０は、下端が後方に向かうように僅かに傾斜している。
【００２５】
後滑り防止刃７の上端端面と取付板４の裏面４ａとの間には、スキー板挿入用の隙間２７が形成されている。また、後滑り防止刃本体２０の側方端面２６と第２横滑り防止刃６の内側表面６ａとの間には、スキー板挿入用の隙間２７に連通するスキー板挿入ガイド用の隙間２８が形成されている。
【００２６】
図１（ｂ）に示すように、固定具３は、取付板固定具３０と３本の締結ボルト３１〜３３を備えている。取付板固定具３０は、半円形横断面を備える柱部３４と、この柱部３４の上端から外周側に突出している円弧形状のフランジ部３５を有している。柱部３４の上端面には平面形状が半円形の凹部３６が形成されており、凹部３６には締結ボルト用貫通孔３７〜３９が形成されている。
【００２７】
（スキーアイゼンのスキー板への装着）
図３（ａ）はスキー板に取り付けたスキーアイゼンをスキー板の表面側から見た斜視図であり、図３（ｂ）はスキー板に取り付けたスキーアイゼンをスキー板のソール側から見た斜視図である。スキーアイゼン２は、一対のスキー板４０のそれぞれに装着して使用する。スキー板４０へのスキーアイゼン２の装着は各スキー板４０で同様に行われるので、一方のスキー板４０にスキーアイゼン２を装着する動作を説明して、他方のスキー板４０に装着する動作の説明は省略する。
【００２８】
本例では、スキー板４０には、テレマークスキー用のビンディング４１が取り付けられている。また、このビンディング４１の前側固定部４２と後側固定部４３との間には、予め、取付板固定具３０がフランジ部３５を上側にした状態で固定されている。すなわち、取付板固定具３０は、締結ボルト用貫通孔３７〜３９を貫通してスキー板４０にネジ込まれた締結ボルト３１〜３３によりスキー板４０に締結固定されている。取付板固定具３０がスキー板４０に固定された状態では、フランジ部３５とスキー板４０の表面４０ａとの間には、取付板４をスキー板４０の表面４０ａに沿って前側から差し込み可能な差し込み溝が形成されている。
【００２９】
スキーアイゼン２をスキー板４０に装着する際には、まず、図２（ｂ）の矢印に示すように、スキー板挿入ガイド用の隙間２８を介してスキー板４０をスキー板挿入用の隙間２７に挿入して、ビンディング４１の前側固定部４２と取付板固定具３０の間にスキーアイゼン２を配置する。ここで、取付板４の前端部分には矩形の切り欠き部８が形成されているので、取付板４と前側固定部４２との干渉が回避される。スキー板４０がスキー板挿入用の隙間２７に挿入された状態では、スキー板４０の表面４０ａが取付板４の裏面４ａに当接するとともに、一方のエッジ４０ｂの側方に第１横滑り防止刃５が位置し、他方のエッジ４０ｃの側方に第２横滑り防止刃６が位置し、ソール４０ｄの下方に後滑り防止刃７が位置する。
【００３０】
次に、取付板４の係合部１２を取付板固定具３０に着脱可能に係合させる。より具体的には、板ばね１１を弾性変形させて連結部１１ｃを上方に押し上げながら、スキーアイゼン２をスキー板４０の表面４０ａに沿って後側にスライドさせ、取付板４における半円形の切り欠き部１０の円弧形状の開口縁部分１０ａを、フランジ部３５とスキー板４０の間の差し込み溝に挿入する。これにより、取付板４はスキー板４０の上下方向および幅方向への動きが規制される。
【００３１】
しかる後に、板ばね１１を元の状態に戻すと、板ばね１１は、取付板４が差し込み溝からスキー板４０の前後方向に外れることを阻止可能な位置に配置される。これにより、スキーアイゼン２はスキー板４０に取り付けられる。
【００３２】
ここで、スキーアイゼン２をスキー板４０に最初に装着したときに、スキーアイゼン２が幅方向にガタついている場合には、第１横滑り防止刃５および第２横滑り防止刃６に形成されている一対の突出部１４を内側に折り曲げて、それら一対の突出部１４の先端をスキー板４０の左右の側面に近接させて、そのガタつきを防止する。
【００３３】
なお、取り付け動作と逆の動作を行えば、スキーアイゼン２をスキー板４０から取り外すことができる。また、スキーシールが貼り付けられているスキー板４０をスキー板挿入用の隙間２７に挿入し、これにスキーアイゼン２を装着することもできる。すなわち、スキーアイゼン２は、スキーシールと併用することができる。
【００３４】
（作用効果）
スキー板挿入用の隙間２７にスキー板４０を挿入してスキーアイゼン２をスキー板４０に装着すると、第１、第２横滑り防止刃５、６はスキー板４０の左右のエッジ４０ｂ、４０ｃの側方から下方に突出して前後方向に延びるように配置され、後滑り防止刃７は、スキー板４０のソールの下方において滑走方向と直交する方向に延びるように配置される。従って、スキーアイゼン２を装着したスキー板４０を用いて雪山を登高すれば、スキーヤーがスキー板４０に体重を載せたときに第１、第２横滑り防止刃５、６によってスキー板４０の横滑りが低減され、後滑り防止刃７によってスキー板４０の後方へのスリップが低減される。
【００３５】
また、スキーヤーがスキー板４０に体重を載せると、スキー板４０と第１、第２横滑り防止刃５、６で囲まれたスキーアイゼン２の内側には雪の粒子同士が強く結合した圧密層が形成され、後滑り防止刃７がこの圧密層に食い込んだ状態となる。この結果、後滑り防止刃７が後側に移動してしまうことが低減されるので、スキーヤーは雪面を確実にグリップできる。
【００３６】
さらに、本例のスキーアイゼン２は、第１、第２横滑り防止刃５、６および後滑り防止刃７を備えているので、スキーアイゼン２を用いるだけで、スキー板４０の横滑りと後方へのスリップを低減できる。従って、スキー板４０にスキーアイゼン２以外のアタッチメントを装着する必要がなく、山中でスキー板４０にアタッチメントを装着する作業が容易になる。また、雪山の登高に際して、荷物を減らすことができる。さらに、スキーアイゼン２が後方へのスリップを防止するので、スキーアイゼン２とスキーシールとを併用する際に、グリップ力の弱いスキーシールを用いることができる。すなわち、スキーシールとして、短いスキーシールや幅の狭いスキーシールなどの安価なものを用いることができるので、経済的である。
【００３７】
また、スキー板挿入ガイド用の隙間２８を介してスキー板４０をスキー板挿入用の隙間２７へ挿入し、係合部１２をスキー板４０に取り付ければスキー板４０への装着が完了するので、スキーアイゼン２の装着が容易である。
【００３８】
さらに、後滑り防止刃７の側方端面２６は、取付板４に接近するのに伴って第２横滑り防止刃６の内側表面６ａから遠ざかる輪郭形状をしているので、スキー板４０をスキー板挿入用の隙間２７に挿入しやすく、挿入時にスキー板４０が傷ついてしまうことも回避できる。また、側方端面２６がこのような形状を備えていれば、スキー板挿入ガイド用の隙間２８が狭くてもスキー板４０をスキー板挿入用の隙間２７へ挿入できるようになるので、後滑り防止刃７を長くできる。従って、後方へのスリップ防止効果を向上させることができる。
【００３９】
（変形例）
上記のスキーアイゼン２では、第１横滑り防止刃５および第２横滑り防止刃６の前後方向の長さ寸法は、取付板４の長さ寸法とほぼ同じであったが、スキーアイゼン２の横滑り防止効果を向上させるために、第１横滑り防止刃５および第２横滑り防止刃６の長さ寸法を取付板４の長さ寸法よりも長くしてもよい。
【００４０】
また、上記のスキーアイゼン２では、後滑り防止刃７は第１横滑り防止刃５の内側表面５ａに取り付けられているが、後滑り防止刃７を第２横滑り防止刃６の内側表面６ａに取り付け、後滑り防止刃７が第２横滑り防止刃６から第１横滑り防止刃５に向かって延びるようにしてもよい。
【００４１】
さらに、後滑り防止刃７の後滑り防止刃本体２０は、第１横滑り防止刃５と直交するように延びているが、第２横滑り防止刃６側が前側に向かって傾斜していてもよく、後側に向かって傾斜していてもよい。また、後滑り防止刃７の刃部２０ａは、第１横滑り防止刃５および第２横滑り防止刃６の刃部１３ｃ、１３ｄ、１３ｅよりも下方に突出していてもよく、上方に位置していてもよい。さらに、上記のスキーアイゼン２では、後滑り防止刃７の後滑り防止刃本体２０は平板形状をしているが、下端部分が後側に向かうように僅かに湾曲する円弧形状の板とすることができる。或いは、第２横滑り防止刃６側が後側に向かうように湾曲する円弧形状の板としてもよい。
【００４２】
上記のスキーアイゼン２では、後滑り防止刃７と第１横滑り防止刃５とは別体であり、後滑り防止刃７が第１横滑り防止刃５の内側面にネジ止め固定されているが、所定形状の一枚の板部材を折り曲げることにより形成してもよい。
【００４３】
また、上記のスキーアイゼン２では、後滑り防止刃７は１枚であったが、複数枚を前後方向において間隔を開けて配置して、第１横滑り防止刃５に取り付けることもできる。この場合には、第１横滑り防止刃５の前後方向の長さを取付板４よりも長くすることにより、第１横滑り防止刃５に複数枚の後滑り防止刃７を取り付けるスペースを確保してもよい。
【００４４】
さらに、上記のスキーアイゼン２から、第２横滑り防止刃６を省略してもよい。
【００４５】
また、スキー板４０におけるスキーアイゼン２の装着位置は、ビンディング４１よりも前側でも後側でもよい。さらに、スキーアイゼン２を装着する際にビンディング４１と取付板４とが干渉しなければ、取付板４の矩形の切り欠き部８を省略することもできる。
【００４６】
なお、スキーアイゼン２は、強度があり、かつ、加工性のよい金属から製造する。このような金属としては、例えば、鉄、アルミ、チタン、或いは、それらの合金がある。
【００４７】
また、取付板固定具３０と、取付板４に形成された係合部１２は構成例であり、他の周知の構成を用いて、スキーアイゼン２をスキー板４０へ着脱可能に取り付けることもできる。また、係合部１２として取付板４にネジ止め用貫通孔を形成しておいて、ネジによりスキーアイゼン２をスキー板４０に取り付けてもよい。このようにすれば、取付板固定具３０がなくても、スキーアイゼン２をスキー板４０に締結固定できる。
【００４８】
（参考例）
図４は参考例のスキーアイゼンを示す斜視図である。図５（ａ）は本例のスキーアイゼンの側面図であり、図５（ｂ）はその正面図である。なお、本例のスキーアイゼン２Ａはスキーアイゼン２と同様の構成を備えているので、共通する部分には同一の符号を付して、その説明を省略する。本例のスキーアイゼン２Ａでは、後滑り防止刃７Ａが第１横滑り防止刃５Ａと第２横滑り防止刃６Ａとの間に着脱可能に架け渡されている。
【００４９】
図４、図５に示すように、第１横滑り防止刃５Ａの横滑り防止刃本体１３Ａには、上から下に向かって、固定ボルト用貫通孔５０、第１突起５１および第２突起５２がこの順番で形成されている。第１突起５１と第２突起５２とは第１横滑り防止刃５Ａの内側面から突出している。第１突起５１は固定ボルト用貫通孔５０よりも前側に形成されており、第２突起５２は固定ボルト用貫通孔５０よりも後側に形成されている。第２横滑り防止刃６Ａは第１横滑り防止刃５Ａと同様の構成を備えている。
【００５０】
後滑り防止刃７Ａは、幅方向に長い矩形板状の後滑り防止刃本体２０Ａと、後滑り防止刃本体２０Ａの上端に沿って延びる取り付け筒２１Ａを備えている。
【００５１】
後滑り防止刃７Ａは、図５（ａ）の矢印で示すように、第１突起５１および第２突起５２の間を取り付け筒２１Ａが通過するようにして、下方から、第１横滑り防止刃５Ａと第２横滑り防止刃６Ａとの間に挿入される。そして、取り付け筒２１Ａが固定ボルト用貫通孔５０と同軸になるように配置される。しかる後に、第１横滑り防止刃５Ａの側から固定ボルト用貫通孔５０、取り付け筒２１Ａの中空部、および第２横滑り防止刃６Ａの固定ボルト用貫通孔５０に固定ボルト５３を貫通させて、第２横滑り防止刃６Ａの側で固定ボルト５３に固定ナット５４を締結する。これにより、後滑り防止刃７Ａは第１横滑り防止刃５Ａと第２横滑り防止刃６Ａとの間に架け渡される。また、第２横滑り防止刃６Ａと取付板４との間は、スキー板４０が挿入されるスキー板挿入用の隙間２７が形成される。
【００５２】
スキーアイゼン２をスキー板４０に取り付ける際には、後滑り防止刃７Ａを第１横滑り防止刃５Ａと第２横滑り防止刃６Ａとの間に架け渡す前に、スキー板４０をスキー板挿入用の隙間２７に挿入し、係合部１２と取付板固定具３０とを係合させる。しかる後に、スキー板４０のソール４０ｄの側から、後滑り防止刃７Ａを第１横滑り防止刃５Ａと第２横滑り防止刃６Ａの間に架け渡す。
【００５３】
本例のスキーアイゼン２Ａを装着したスキー板４０を用いて雪山を登高すれば、スキーアイゼン２をスキー板４０に装着した場合と同様に、第１、第２横滑り防止刃５Ａ、６Ａによりスキー板４０の横滑りが低減される。また、後滑り防止刃７Ａによって、スキー板４０の後方へのスリップが低減される。さらに、後滑り防止刃７Ａが第１横滑り防止刃５Ａと第２横滑り防止刃６Ａの間に架け渡されるように長く構成されているので、後方へのスリップ防止効果が高い。従って、雪山の登高や斜行が楽になる。
【符号の説明】
【００５４】
１  スキーアイゼンセット
２、２Ａ  スキーアイゼン
３  固定具
４  取付板
５、５Ａ  第１横滑り防止刃（横滑り防止刃）
６、６Ａ  第２横滑り防止刃（第２の横滑り防止刃）
７、７Ａ  後滑り防止刃
１２  係合部
２６  側方端面
２７  スキー板挿入用の隙間
２８  隙間
３０  取付板固定具
３１〜３３  締結ボルト
４０  スキー板
４０ａ  表面
４０ｂ、４０ｃ  エッジ
４０ｄ  ソール
【図１】
0005425262.tif 000002
【図２】
0005425262.tif 000003
【図３】
0005425262.tif 000004
【図４】
0005425262.tif 000005
【図５】
0005425262.tif 000006